(57)【要約】【課題】電源回路に用いられる電源平滑素子を大容量化させることなく、更には、増幅されたアナログ信号の劣化を抑制した上で、電源バスパンピング現象の発生を抑制することができるオーディオ用増幅装置を提供すること。【解決手段】電源バスパンピングが発生し、正電源電圧＋Ｖや負電源電圧−Ｖの電圧値が上昇して所定値を超えると、入力されたアナログ信号に含まれる低周波信号をハイパスフィルター５で減衰させてアンプ回路３へ出力する。すると、正電源電圧＋Ｖや負電源電圧−Ｖの電圧値の上昇が抑制される。よって、平滑コンデンサＣ１，Ｃ２の容量を大容量化することなく、電源バスパンピングの発生を抑制することができる。また、電源バスパンピングが発生していない場合には、入力されたアナログ信号をハイパスフィルター５で減衰させずに、アンプ回路３へ出力する。よって、増幅されたアナログ信号の劣化を抑制することができる。【選択図】図１
2009239505.tif 000002
【特許請求の範囲】
【請求項１】
供給する電源電圧を充放電して平滑化する電源平滑手段を有する電源供給手段と、その電源供給手段により供給される電源電圧を用いて、入力されたアナログ信号をパルス幅変調信号に変調して増幅するパルス幅変調増幅手段と、そのパルス幅変調増幅手段により変調して増幅されたパルス幅変調信号を復調する誘導素子を用いた復調用低域通過フィルターとを備えるオーディオ用増幅装置において、
前記電源供給手段から供給される電源電圧の電圧値を検出する電圧値検出手段と、
その電圧値検出手段により検出された電圧値に基づいて、入力されたアナログ信号に含まれる低周波信号を減衰させて前記パルス幅変調増幅手段へ出力する低域減衰手段を備えていることを特徴とするオーディオ用増幅装置。
【請求項２】
前記電圧値検出手段は、検出した電源電圧の電圧値が閾値電圧を超えたかを判定する閾値電圧判定手段を備え、
前記低域減衰手段は、
入力されたアナログ信号に含まれる低周波信号を前記閾値電圧判定手段の判定に基づき減衰させて前記パルス幅変調増幅手段へ出力する低域減衰フィルターを備え、
前記閾値電圧判定手段により前記電源電圧の電圧値が閾値電圧を超えたと判定された場合には、前記低域減衰フィルターを動作させることで、入力されたアナログ信号に含まれる低周波信号を減衰させることを特徴とする請求項１記載のオーディオ用増幅装置。
【請求項３】
前記電圧値検出手段は、
検出した電源電圧の電圧値が閾値電圧を超えたかを判定する閾値電圧判定手段と、
前記閾値電圧判定手段により前記電源電圧の電圧値が閾値電圧を超えたと判定された場合に、その閾値電圧を超えた程度に基づいて出力する信号の強度を変化させる信号出力手段とを備え、
前記低域減衰手段は、
前記信号出力手段により出力される信号の強度に基づいて低域遮断周波数を変化させ、入力されたアナログ信号に含まれる低周波信号を減衰させて前記パルス幅変調増幅手段へ出力する可変低域減衰フィルターを備え、
前記信号出力手段により出力される信号の強度によって、前記閾値電圧を超えた電源電圧の電圧値が上昇していることが示された場合には、前記可変低域減衰フィルターの低域遮断周波数を高く変化させて、入力されたアナログ信号に含まれる低周波信号の減衰量を増加し、その増加した減衰量で前記アナログ信号に含まれる低周波信号を減衰させることを特徴とする請求項１記載のオーディオ用増幅装置。
【請求項４】
前記電圧値検出手段は、検出した電源電圧の電圧値が閾値電圧を超えたかを判定する閾値電圧判定手段を備え、
前記低域減衰手段は、
入力されたアナログ信号を複数の周波数帯域に分割する帯域分割手段と、
その帯域分割手段により帯域分割された低周波信号の電圧値を、前記閾値電圧判定手段の判定に基づいて所定の電圧値に制限して前記パルス幅変調増幅手段へ出力する電圧制限手段とを備え、
前記閾値電圧判定手段により前記電源電圧の電圧値が閾値電圧を超えたと判定された場合には、前記電圧制限手段を動作させることで、帯域分割された低周波信号の電圧値を所定の電圧値に制限して、その電圧値が制限された低周波信号を、前記帯域分割手段により帯域分割された他の帯域の信号と合成した後、前記パルス幅変調増幅手段へ出力することを特徴とする請求項１記載のオーディオ用増幅装置。
【請求項５】
前記低域減衰手段は、
前記閾値電圧判定手段により前記電源電圧の電圧値が閾値電圧以下であると判定された場合には、前記低域減衰フィルターを動作させずに、入力されたアナログ信号に含まれる低周波信号を減衰させないものであることを特徴とする請求項２記載のオーディオ用増幅装置。
【請求項６】
前記低域減衰手段は、
前記信号出力手段により出力される信号の強度によって、前記閾値電圧を超えた電源電圧の電圧値が下降していることが示された場合には、前記可変低域減衰フィルターの低域遮断周波数を低く変化させて、入力されたアナログ信号に含まれる低周波信号の減衰量を減少し、その減少した減衰量で前記アナログ信号に含まれる低周波信号を減衰させるものであることを特徴とする請求項３記載のオーディオ用増幅装置。
【請求項７】
前記低域減衰手段は、
前記閾値電圧判定手段により前記電源電圧の電圧値が閾値電圧以下であると判定された場合には、前記電圧制限手段を動作させずに、帯域分割された低周波信号を、前記帯域分割手段により帯域分割された他の帯域の信号と合成した後、前記パルス幅変調増幅手段へ出力するものであることを特徴とする請求項４記載のオーディオ用増幅装置。
【請求項８】
前記閾値電圧判定手段は、第１閾値電圧とその第１閾値電圧よりも低い電圧である第２閾値電圧とを前記閾値電圧として判定に用いるものであり、
前記閾値電圧判定手段が判定に用いる閾値電圧を前記第１閾値電圧に設定する閾値電圧設定手段と、
その閾値電圧設定手段により設定された第１閾値電圧を前記電源電圧の電圧値が超えたと前記閾値電圧判定手段によって判定された場合に、前記閾値電圧を前記第１閾値電圧から第２閾値電圧へ変更する閾値電圧変更手段と、
その閾値電圧変更手段により変更された第２閾値電圧以下に前記電源電圧の電圧値が低下したと前記閾値電圧判定手段によって判定された場合に、前記閾値電圧変更手段による前記第２閾値電圧への前記閾値電圧の変更を解除する閾値電圧解除手段とを備えていることを特徴とする請求項５から７のいずれかに記載のオーディオ用増幅装置。
【請求項９】
前記閾値電圧判定手段により前記電源電圧の電圧値が閾値電圧以下であると判定された場合に、その判定から所定時間を計時する計時手段と、
その計時手段による計時が所定時間を経過するまでは、前記入力されたアナログ信号に含まれる低周波信号の前記低域減衰手段による減衰を継続させる継続手段とを備えていることを特徴とする請求項５から７のいずれかに記載のオーディオ用増幅装置。
【発明の詳細な説明】
【技術分野】
【０００１】
本発明はオーディオ用増幅装置に関し、特に、電源回路に用いられる電源平滑素子を大容量化させることなく、更には、増幅されたアナログ信号の劣化を抑制した上で、電源バスパンピング現象の発生を抑制することができるオーディオ用増幅装置に関するものである。
【背景技術】
【０００２】
入力されたアナログ信号をパルス変調増幅器でパルス信号に変調すると共に増幅し、その変調および増幅したパルス信号をコイルとコンデンサから構成されるローパスフィルターで復調して、入力されたアナログ信号を増幅するデジタルアンプ（Ｄ級電力増幅器）を使用したオーディオ用増幅装置に関しては、例えば、特開２００６−０６０２７８号公報や特開２００６−０９３７６４号公報に記載のオーディオ用増幅装置が知られている。このオーディオ用増幅装置では、特に周波数２０Ｈｚ以下の低周波信号が入力されると、ローパスフィルターのコイルに蓄えられた電力の一部が、オーディオ用増幅装置の電源回路に用いられる電源平滑コンデンサに充電されて、電源回路から供給される電源電圧が上昇する現象（電源バスパンピング現象）が発生する。この電源バスパンピング現象は、ローパスフィルターの出力端子に接続される負荷のインピーダンスが低い場合には、ローパスフィルターのコイルに蓄えられる電力が大きくなるので、特に発生し易くなる。
【特許文献１】特開２００６−０６０２７８号公報
【特許文献２】特開２００６−０９３７６４号公報
【発明の開示】
【発明が解決しようとする課題】
【０００３】
ここで、電源回路から供給される電源電圧が電源バスパンピング現象により上昇することを防止する方法としては、電源回路に用いられる電源平滑コンデンサ（電源平滑素子）の容量を大容量化することで平滑能力を向上させて、電源回路から供給される電源電圧の上昇を抑制する方法がある。しかし、電源平滑コンデンサ（電源平滑素子）の容量を大容量化した場合には、この電源平滑コンデンサの費用が増大して、オーディオ用増幅回路の費用も増大してしまうという問題点があった。
【０００４】
また、他にも、電源回路から供給される電源電圧が電源バスパンピング現象により上昇することを防止する方法としては、パルス変調増幅器の前段にハイパスフィルター（低域減衰フィルター）を接続することでパルス変調増幅器に入力される低周波信号を低減させて、電源回路から供給される電源電圧の上昇を抑制する方法がある。しかし、パルス変調増幅器の前段にハイパスフィルターを接続した場合には、電源バスパンピング現象が発生していない場合にも、パルス変調増幅器に入力されるアナログ信号に含まれる低周波信号が低減されると共に、パルス変調増幅器に入力されるアナログ信号の位相特性が悪化して、増幅されたアナログ信号が劣化してしまうという問題点があった。
【０００５】
本発明は、上述した問題点を解決するためになされたものであり、電源回路に用いられる電源平滑素子を大容量化させることなく、更には、増幅されたアナログ信号の劣化を抑制した上で、電源バスパンピング現象の発生を抑制することができるオーディオ用増幅装置を提供することを目的としている。
【課題を解決するための手段】
【０００６】
この目的を達成するために請求項１記載のオーディオ用増幅装置は、供給する電源電圧を充放電して平滑化する電源平滑手段を有する電源供給手段と、その電源供給手段により供給される電源電圧を用いて、入力されたアナログ信号をパルス幅変調信号に変調して増幅するパルス幅変調増幅手段と、そのパルス幅変調増幅手段により変調して増幅されたパルス幅変調信号を復調する誘導素子を用いた復調用低域通過フィルターとを備えるものであり、前記電源供給手段から供給される電源電圧の電圧値を検出する電圧値検出手段と、その電圧値検出手段により検出された電圧値に基づいて、入力されたアナログ信号に含まれる低周波信号を減衰させて前記パルス幅変調増幅手段へ出力する低域減衰手段を備えている。
【０００７】
請求項２記載のオーディオ用増幅装置は、請求項１記載のオーディオ用増幅装置において、前記電圧値検出手段は、検出した電源電圧の電圧値が閾値電圧を超えたかを判定する閾値電圧判定手段を備え、前記低域減衰手段は、入力されたアナログ信号に含まれる低周波信号を前記閾値電圧判定手段の判定に基づき減衰させて前記パルス幅変調増幅手段へ出力する低域減衰フィルターを備え、前記閾値電圧判定手段により前記電源電圧の電圧値が閾値電圧を超えたと判定された場合には、前記低域減衰フィルターを動作させることで、入力されたアナログ信号に含まれる低周波信号を減衰させるものである。
【０００８】
請求項３記載のオーディオ用増幅装置は、請求項１記載のオーディオ用増幅装置において、前記電圧値検出手段は、検出した電源電圧の電圧値が閾値電圧を超えたかを判定する閾値電圧判定手段と、前記閾値電圧判定手段により前記電源電圧の電圧値が閾値電圧を超えたと判定された場合に、その閾値電圧を超えた程度に基づいて出力する信号の強度を変化させる信号出力手段とを備え、前記低域減衰手段は、前記信号出力手段により出力される信号の強度に基づいて低域遮断周波数を変化させ、入力されたアナログ信号に含まれる低周波信号を減衰させて前記パルス幅変調増幅手段へ出力する可変低域減衰フィルターを備え、前記信号出力手段により出力される信号の強度によって、前記閾値電圧を超えた電源電圧の電圧値が上昇していることが示された場合には、前記可変低域減衰フィルターの低域遮断周波数を高く変化させて、入力されたアナログ信号に含まれる低周波信号の減衰量を増加し、その増加した減衰量で前記アナログ信号に含まれる低周波信号を減衰させるものである。
【０００９】
請求項４記載のオーディオ用増幅装置は、請求項１記載のオーディオ用増幅装置において、前記電圧値検出手段は、検出した電源電圧の電圧値が閾値電圧を超えたかを判定する閾値電圧判定手段を備え、前記低域減衰手段は、入力されたアナログ信号を複数の周波数帯域に分割する帯域分割手段と、その帯域分割手段により帯域分割された低周波信号の電圧値を、前記閾値電圧判定手段の判定に基づいて所定の電圧値に制限して前記パルス幅変調増幅手段へ出力する電圧制限手段とを備え、前記閾値電圧判定手段により前記電源電圧の電圧値が閾値電圧を超えたと判定された場合には、前記電圧制限手段を動作させることで、帯域分割された低周波信号の電圧値を所定の電圧値に制限して、その電圧値が制限された低周波信号を、前記帯域分割手段により帯域分割された他の帯域の信号と合成した後、前記パルス幅変調増幅手段へ出力するものである。
【００１０】
請求項５記載のオーディオ用増幅装置は、請求項２記載のオーディオ用増幅装置において、前記低域減衰手段は、前記閾値電圧判定手段により前記電源電圧の電圧値が閾値電圧以下であると判定された場合には、前記低域減衰フィルターを動作させずに、入力されたアナログ信号に含まれる低周波信号を減衰させないものである。
【００１１】
請求項６記載のオーディオ用増幅装置は、請求項３記載のオーディオ用増幅装置において、前記低域減衰手段は、前記信号出力手段により出力される信号の強度によって、前記閾値電圧を超えた電源電圧の電圧値が下降していることが示された場合には、前記可変低域減衰フィルターの低域遮断周波数を低く変化させて、入力されたアナログ信号に含まれる低周波信号の減衰量を減少し、その減少した減衰量で前記アナログ信号に含まれる低周波信号を減衰させるものである。
【００１２】
請求項７記載のオーディオ用増幅装置は、請求項４記載のオーディオ用増幅装置において、前記低域減衰手段は、前記閾値電圧判定手段により前記電源電圧の電圧値が閾値電圧以下であると判定された場合には、前記電圧制限手段を動作させずに、帯域分割された低周波信号を、前記帯域分割手段により帯域分割された他の帯域の信号と合成した後、前記パルス幅変調増幅手段へ出力するものである。
【００１３】
請求項８記載のオーディオ用増幅装置は、請求項５から７のいずれかに記載のオーディオ用増幅装置において、前記閾値電圧判定手段は、第１閾値電圧とその第１閾値電圧よりも低い電圧である第２閾値電圧とを前記閾値電圧として判定に用いるものであり、前記閾値電圧判定手段が判定に用いる閾値電圧を前記第１閾値電圧に設定する閾値電圧設定手段と、その閾値電圧設定手段により設定された第１閾値電圧を前記電源電圧の電圧値が超えたと前記閾値電圧判定手段によって判定された場合に、前記閾値電圧を前記第１閾値電圧から第２閾値電圧へ変更する閾値電圧変更手段と、その閾値電圧変更手段により変更された第２閾値電圧以下に前記電源電圧の電圧値が低下したと前記閾値電圧判定手段によって判定された場合に、前記閾値電圧変更手段による前記第２閾値電圧への前記閾値電圧の変更を解除する閾値電圧解除手段とを備えている。
【００１４】
請求項９記載のオーディオ用増幅装置は、請求項５から７のいずれかに記載のオーディオ用増幅装置において、前記閾値電圧判定手段により前記電源電圧の電圧値が閾値電圧以下であると判定された場合に、その判定から所定時間を計時する計時手段と、その計時手段による計時が所定時間を経過するまでは、前記入力されたアナログ信号に含まれる低周波信号の前記低域減衰手段による減衰を継続させる継続手段とを備えている。
【発明の効果】
【００１５】
請求項１記載のオーディオ用増幅装置によれば、電圧値検出手段で検出された電圧値に基づいて、低域減衰手段は、入力されたアナログ信号に含まれる低周波信号を減衰させてパルス幅変調増幅手段へ出力する。よって、アナログ信号に含まれる低周波信号がパルス幅変調増幅手段へ入力されて、電源バスパンピング現象が発生し、電源供給手段から供給される電源電圧が上昇すると、その上昇した電源電圧の電源値に基づいて、低域減衰手段は、パルス幅変調増幅手段へ入力されるアナログ信号に含まれる低周波信号を減衰させて、電源電圧の上昇を抑制する。従って、電源供給手段が有する電源平滑手段を大容量化することなく、電源電圧の電圧値の上昇、即ち、電源バスパスピングの発生を抑制することができるという効果がある。
【００１６】
また、低域減衰手段は、電源供給手段から供給される電源電圧の上昇に基づいて、入力されたアナログ信号に含まれる低周波信号を減衰させるものであるので、入力されたアナログ信号の低周波信号を、常時、減衰させるものではない。よって、例えば、パルス幅変調増幅手段へ入力されたアナログ信号に含まれる低周波信号が少なく、電源供給手段から供給される電源電圧の上昇がない場合、或いは、電源供給手段から供給される電源電圧の上昇が比較的少ない場合には、アナログ信号に含まれる低周波信号は、低域減衰手段により減衰が行われないまま、或いは、低域減衰手段による減衰が比較的少ないまま、パルス幅変調増幅手段へ入力されて増幅される。従って、電源供給手段から供給される電源電圧の上昇がない場合、或いは、電源供給手段から供給される電源電圧の上昇が比較的少ない場合には、パルス幅変調増幅手段により増幅されたアナログ信号の劣化を抑制することができるという効果がある。
【００１７】
請求項２記載のオーディオ用増幅装置によれば、請求項１記載のオーディオ用増幅装置の奏する効果に加え、低域減衰手段は、アナログ信号に含まれる低周波信号がパルス幅変調増幅手段へ入力されて、電源バスパンピング現象が発生し、電源供給手段から供給される電源電圧の電圧値が閾値電圧を超えたと閾値電圧判定手段により判定された場合には、低域減衰フィルターを動作させる。そして、低域減衰手段は、入力されたアナログ信号に含まれる低周波信号を減衰させてパルス幅変調増幅手段へ出力し、電源電圧の上昇を抑制する。よって、電源供給手段が有する電源平滑手段を大容量化することなく電源電圧の電圧値の上昇、即ち、電源バスパスピングの発生を抑制することができるという効果がある。
【００１８】
また、電源供給手段から供給される電源電圧の電圧値が閾値電圧を超えたと閾値電圧判定手段により判定されるまでは、低域減衰手段は、低域減衰フィルターを動作させずに、入力されたアナログ信号に含まれる低周波信号を減衰させることなく、入力されたアナログ信号をパルス幅変調増幅手段へ出力する。よって、電源供給手段から供給される電源電圧の電圧値が閾値電圧を超えたと閾値電圧判定手段により判定されるまで、アナログ信号に含まれる低周波信号は、低域減衰フィルターにより減衰が行われないまま、パルス幅変調増幅手段へ入力されて増幅される。従って、電源供給手段から供給される電源電圧の電圧値が閾値電圧を超えたと閾値電圧判定手段により判定されるまでは、パルス幅変調増幅手段により増幅されたアナログ信号の劣化を抑制することができるという効果がある。
【００１９】
請求項３記載のオーディオ用増幅装置によれば、請求項１記載のオーディオ用増幅装置の奏する効果に加え、アナログ信号に含まれる低周波信号がパルス幅変調増幅手段へ入力されて、電源バスパンピング現象が発生し、電源供給手段から供給される電源電圧の電圧値が閾値電圧を超えたと閾値電圧判定手段により判定された場合には、信号出力手段は、その閾値電圧を超えた程度に基づいて出力する信号の強度を変化させる。そして、信号出力手段により出力される信号の強度によって、閾値電圧を超えた電源電圧の電圧値が上昇していることが示された場合には、低域減衰手段は、可変低域減衰フィルターの低域遮断周波数を高く変化させて、入力されたアナログ信号に含まれる低周波信号の減衰量を増加する。そして、低域減衰手段は、その増加した減衰量でアナログ信号に含まれる低周波信号を減衰させてパルス幅変調増幅手段へ出力し、電源電圧の上昇を抑制する。よって、電源供給手段が有する電源平滑手段を大容量化することなく電源電圧の電圧値の上昇、即ち、電源バスパスピングの発生を抑制することができるという効果がある。
【００２０】
また、電源供給手段から供給される電源電圧の電圧値が閾値電圧を超えたと閾値電圧判定手段により判定されるまでは、信号出力手段から信号が出力されない。このとき、可変低域減衰フィルターの低域遮断周波数は最低値となる（入力されたアナログ信号に含まれる低周波信号の減衰量は最小値となる）。よって、電源供給手段から供給される電源電圧の電圧値が閾値電圧を超えたと閾値電圧判定手段により判定されるまで、アナログ信号に含まれる低周波信号は、可変低域減衰フィルターにより殆ど減衰が行われないまま、パルス幅変調増幅手段へ入力されて増幅される。従って、電源供給手段から供給される電源電圧の電圧値が閾値電圧を超えたと閾値電圧判定手段により判定されるまでは、パルス幅変調増幅手段により増幅されたアナログ信号の劣化を抑制することができるという効果がある。
【００２１】
請求項４記載のオーディオ用増幅装置によれば、請求項１記載のオーディオ用増幅装置の奏する効果に加え、アナログ信号に含まれる低周波信号がパルス幅変調増幅手段へ入力されて、電源バスパンピング現象が発生し、電源供給手段から供給される電源電圧の電圧値が閾値電圧を超えたと閾値電圧判定手段により判定された場合には、低域減衰手段は、電圧制限手段を動作させて、帯域分割手段により帯域分割した低周波信号の電圧値を所定の電圧値に制限して、その電圧値が制限された低周波信号を、帯域分割手段により帯域分割した他の信号と合成した後、パルス幅変調増幅手段へ出力する。よって、低域減衰手段は、入力されたアナログ信号に含まれる低周波信号を所定量残した上でパルス幅変調増幅手段へ出力することができる。従って、低域減衰手段は、入力されたアナログ信号に含まれる低周波信号を低域減衰フィルターで一律に減衰させてパルス幅変調増幅手段へ出力する場合と比較して、パルス幅変調増幅手段により増幅されたアナログ信号に含まれる低周波信号の劣化を抑制した上で、電源電圧の上昇を抑制し、電源バスパスピングの発生を抑制することができるという効果がある。
【００２２】
また、電源供給手段から供給される電源電圧の電圧値が閾値電圧を超えたと閾値電圧判定手段により判定されるまでは、低域減衰手段は、電圧制限手段を動作させずに、帯域分割手段により帯域分割した低周波信号を、帯域分割手段により帯域分割した他の信号と合成してパルス幅変調増幅手段へ出力する。よって、電源供給手段から供給される電源電圧の電圧値が閾値電圧を超えたと閾値電圧判定手段により判定されるまで、アナログ信号に含まれる低周波信号の電圧値は、電圧制限手段により所定の電圧値に制限されることなく、帯域分割した他の信号と合成の後、パルス幅変調増幅手段へ入力されて増幅される。従って、電源供給手段から供給される電源電圧の電圧値が閾値電圧を超えたと閾値電圧判定手段により判定されるまでは、パルス幅変調増幅手段により増幅されたアナログ信号の劣化を抑制することができるという効果がある。
【００２３】
請求項５記載のオーディオ用増幅装置によれば、請求項２記載のオーディオ用増幅装置の奏する効果に加え、低域減衰手段は、例えば、パルス幅変調増幅手段へ入力されたアナログ信号に含まれる低周波信号が少なく、電源供給手段から供給される電源電圧の電圧値が閾値電圧以下であると閾値電圧判定手段によって判定された場合には、低域減衰フィルターを動作させずに、入力されたアナログ信号に含まれる低周波信号を減衰させることなく、入力されたアナログ信号をパルス幅変調増幅手段へ出力する。よって、電源電圧の電圧値が閾値電圧以下であると閾値電圧判定手段によって判定された場合、即ち、電源供給手段から供給される電源電圧の上昇がない場合、或いは、電源供給手段から供給される電源電圧の上昇が比較的少ない場合には、アナログ信号に含まれる低周波信号は、低域減衰フィルターにより減衰が行われないまま、パルス幅変調増幅手段へ入力されて増幅される。従って、電源供給手段から供給される電源電圧の上昇がない場合、或いは、電源供給手段から供給される電源電圧の上昇が比較的少ない場合には、パルス幅変調増幅手段により増幅されたアナログ信号の劣化を抑制することができるという効果がある。
【００２４】
更に、低域減衰手段は、電源電圧の電圧値が閾値電圧を超えているか否かの閾値電圧判定手段による判定に基づいて、低域減衰フィルターの動作を決定している。よって、低域減衰手段による低域減衰フィルターの動作決定を簡素化することで、低域減衰手段は、低域減衰フィルターを容易に制御することができるという効果がある。
【００２５】
請求項６記載のオーディオ用増幅装置によれば、請求項３記載のオーディオ用増幅装置の奏する効果に加え、信号出力手段により出力される信号の強度によって、閾値電圧を超えた電源電圧の電圧値が下降していることが示された場合には、低域減衰手段は、可変低域減衰フィルターの低域遮断周波数を低く変化させて、入力されたアナログ信号に含まれる低周波信号の減衰量を減少する。そして、低域減衰手段は、その減少した減衰量でアナログ信号に含まれる低周波信号を減衰させてパルス幅変調増幅手段へ出力する。このように、低域減衰手段は、電源電圧の電圧値が閾値電圧を超える程度に基づいて、入力されたアナログ信号に含まれる低周波信号の減衰量を変化させることができるので、アナログ信号に含まれる低周波信号を適正且つ円滑に減衰することができる。よって、電源電圧の電圧値の上昇を適正且つ円滑に抑制することができるという効果がある。これにより、パルス幅変調増幅手段により増幅されたアナログ信号の劣化を抑制することができる。
【００２６】
請求項７記載のオーディオ用増幅装置によれば、請求項４記載のオーディオ用増幅装置の奏する効果に加え、例えば、パルス幅変調増幅手段へ入力されたアナログ信号に含まれる低周波信号が少なく、電源供給手段から供給される電源電圧の電圧値が閾値電圧以下であると閾値電圧判定手段によって判定された場合には、低域減衰手段は、電圧制限手段を動作させずに、帯域分割手段により帯域分割した低周波信号を、帯域分割手段により帯域分割した他の信号と合成してパルス幅変調増幅手段へ出力する。よって、電源供給手段から供給される電源電圧の電圧値が閾値電圧以下であると閾値電圧判定手段によって判定された場合、即ち、電源供給手段から供給される電源電圧の上昇がない場合、或いは、電源供給手段から供給される電源電圧の上昇が比較的少ない場合には、低域減衰手段は、入力されたアナログ信号を減衰させることなくパルス幅変調増幅手段へ出力して、増幅させる。従って、電源供給手段から供給される電源電圧の上昇がない場合、或いは、電源供給手段から供給される電源電圧の上昇が比較的少ない場合には、パルス幅変調増幅手段により増幅されたアナログ信号の劣化を抑制することができるという効果がある。
【００２７】
請求項８記載のオーディオ用増幅装置によれば、請求項５から７のいずれかに記載のオーディオ用増幅装置の奏する効果に加え、電源供給手段から供給される電源電圧の電圧値が、閾値電圧設定手段により設定された第１閾値電圧を超えたと閾値電圧判定手段によって判定された場合には、閾値電圧変更手段は、閾値電圧判定手段の判定に用いる閾値電圧を第１閾値電圧から第２閾値電圧へ変更し、低域減衰手段は、入力されたアナログ信号に含まれる低周波信号を減衰させる。ここで、第２閾値電圧は第１閾値電圧よりも低い電圧であるので、閾値電圧変更手段により閾値電圧が第２閾値電圧へ変更されると、電源電圧の電圧値が、第１閾値電圧より低くなっても、第２閾値電圧以下に低下するまでは、低域減衰手段は、入力されたアナログ信号に含まれる低周波信号の減衰を維持しておく。よって、入力されたアナログ信号に含まれる低周波信号が低域減衰手段により減衰開始されると、低域減衰手段は、電源電圧の電圧値の上昇が十分抑制されて、電源電圧の電圧値が第２閾値電圧以下に低下するまでは、入力されたアナログ信号に含まれる低周波信号の減衰を安定して維持しておくことができる。従って、電源電圧の電圧値の上昇が十分抑制されないときに、閾値電圧判定手段の判定に用いる閾値電圧付近で電源電圧の電圧値が不安定に変動し、低域減衰手段による低周波信号の減衰が開始と終了を繰り返してしまうことを防止することができるという効果がある。なお、電源供給手段から供給される電源電圧の電圧値が閾値電圧変更手段により変更された第２閾値電圧以下に低下したと閾値電圧判定手段によって判定された場合には、閾値電圧解除手段は、閾値電圧変更手段による第２閾値電圧への閾値電圧の変更を解除する。よって、電源電圧の電圧値が第２閾値電圧以下に低下して、電源電圧の電圧値の上昇が十分抑制された場合には、閾値電圧判定手段の判定に用いる閾値電圧を、再び第１閾値電圧に戻すことができる。
【００２８】
請求項９記載のオーディオ用増幅装置によれば、請求項５から７のいずれかに記載のオーディオ用増幅装置の奏する効果に加え、継続手段は、閾値電圧判定手段により電源電圧の電圧値が閾値電圧以下であると判定されても、計時手段による計時がその判定から所定時間が経過するまでは、低域減衰手段による減衰を継続させて、入力されたアナログ信号に含まれる低周波信号を継続して減衰させる。これにより、低域減衰手段は、電源電圧の電圧値の上昇が十分抑制されるまでは、入力されたアナログ信号に含まれる低周波信号の減衰を維持しておくことができる。従って、電源電圧の電圧値の上昇が十分抑制されないときに、閾値電圧判定手段の判定に用いる閾値電圧付近で電源電圧の電圧値が不安定に変動し、低域減衰手段による低周波信号の減衰が開始と終了を繰り返してしまうことを防止することができるという効果がある。なお、計時手段による計時が所定時間を経過した場合には、継続手段は、低域減衰手段による減衰を中止させる。よって、計時手段による計時が所定時間を経過した場合には、低域減衰手段は、入力されたアナログ信号に含まれる低周波信号を減衰させることなくパルス幅変調増幅手段へ出力することができる。
【発明を実施するための最良の形態】
【００２９】
以下、本発明の一実施の形態について添付図面を参照して説明する。図１を参照して、デジタルパワーアンプ（Ｄ級電力増幅器）１について説明する。図１は、デジタルパワーアンプ１の構成を示す回路図である。
【００３０】
なお、デジタルパワーアンプ１は、アナログ信号に含まれる低周波信号（特に、周波数２０Ｈｚ以下の信号）が入力端子Ａに入力され、電源バスパンピングが発生し、電源回路２から供給される正電源電圧＋Ｖや負電源電圧−Ｖの電圧値が上昇して所定値を超えた場合に、その上昇した電源電圧の電圧値を電源電圧検出回路７で検出してハイパスフィルター５を動作させ、入力されたアナログ信号に含まれる低周波信号を減衰させてアンプ回路３へ出力する。
【００３１】
一方で、デジタルパワーアンプ１は、電源バスパンピングが発生していない場合には（電源回路２から供給される正電源電圧＋Ｖや負電源電圧−Ｖの電圧値の上昇が所定値以下の場合には）、ハイパスフィルター５を動作させずに、入力端子Ａに入力されたアナログ信号をアンプ回路３へそのまま出力する（入力端子Ａに入力されたアナログ信号をハイパスフィルター５で減衰させずに、アンプ回路３へそのまま出力する）。
【００３２】
デジタルパワーアンプ１は、電源回路２と、アンプ回路３と、ハイパスフィルター５と、出力フィルター４とから構成されており、出力フィルター４から出力されたアナログ信号によりスピーカである負荷６を駆動して音を出力する。
【００３３】
電源回路２は、負荷６を駆動させるアンプ回路３のための正電源電圧＋Ｖおよび負電源電圧−Ｖを供給する回路であり、トランスＴと、整流ダイオードＤｉ１，Ｄｉ２と、平滑コンデンサＣ１，Ｃ２とから構成されている。トランスＴの一端は、整流ダイオードＤｉ１のアノード端子と接続されており、整流ダイオードＤｉ１のカソード端子は、平滑コンデンサＣ１の一端とアンプ回路３のスイッチングＦＥＴ１のドレイン端子Ｄ１と接続されている。そして、平滑コンデンサＣ１の他端はグランドされている。この接続により、トランスＴ、整流ダイオードＤｉ１および平滑コンデンサＣ１は、正電源電圧＋Ｖを出力する正電源を構成している。なお、正電源電圧＋Ｖとは、スイッチングＦＥＴ１のドレイン端子Ｄ１に印加される電圧を示している。
【００３４】
また、トランスＴの他端は、整流ダイオードＤｉ２のカソード端子と接続されており、整流ダイオードＤｉ２のアノード端子は、平滑コンデンサＣ２の一端とアンプ回路３のスイッチングＦＥＴ２のソース端子Ｓ２と接続されている。そして、平滑コンデンサＣ２の他端はグランドされている。この接続により、トランスＴ、整流ダイオードＤｉ２および平滑コンデンサＣ２は、負電源電圧−Ｖを出力する負電源を構成している。なお、負電源電圧−Ｖとは、スイッチングＦＥＴ２のソース端子Ｓ２に印加される電圧を示している。
【００３５】
アンプ回路３は、電源回路２から供給される正電源電圧＋Ｖおよび負電源電圧−Ｖを交互に出力フィルター４へ出力する回路であり、ドライバー回路Ｐ１とスイッチングＦＥＴ１，ＦＥＴ２とから構成されている。ドライバー回路Ｐ１は、入力されたアナログ信号をパルス幅変調信号に変調する変調器である。
【００３６】
ドライバー回路Ｐ１の一方の出力端子は、スイッチングＦＥＴ１のゲート端子Ｇ１と接続されており、このスイッチングＦＥＴ１のドレイン端子Ｄ１は、電源回路２の平滑コンデンサＣ１の一端および整流ダイオードＤｉ１のカソード端子と接続されている。そして、このスイッチングＦＥＴ１のソース端子Ｓ１は、出力フィルター４の入力端子と接続されている。
【００３７】
また、ドライバー回路Ｐ１の他方の出力端子は、スイッチングＦＥＴ２のゲート端子Ｇ２と接続されており、このスイッチングＦＥＴ２のソース端子Ｓ２は、電源回路２の平滑コンデンサＣ２の一端および整流ダイオードＤｉ２のアノード端子と接続されている。そして、このスイッチングＦＥＴ２のドレイン端子Ｄ２は、出力フィルター４の入力端子と接続されている。
【００３８】
ドライバー回路Ｐ１は、入力されたアナログ信号をパルス幅変調信号に変換し、そのパルス幅変調信号に応じて電源回路２から供給される正電源電圧＋Ｖおよび負電源電圧−Ｖを、スイッチングＦＥＴ１およびスイッチングＦＥＴ２により交互にスイッチしてフィルター４へ出力する。
【００３９】
出力フィルター４は、パルス幅変調信号に応じてスイッチングＦＥＴ１およびスイッチングＦＥＴ２によりスイッチされた正電源電圧＋Ｖおよび負電源電圧−Ｖを、アナログ信号に復調するローパスフィルターである。出力フィルター４は、コイルＬ１とコンデンサＣ３とから構成されている。コイルＬ１の一端は、スイッチングＦＥＴ１のソース端子Ｓ１およびスイッチングＦＥＴ２のドレイン端子Ｄ２と接続されており、コイルＬ１の他端は、コンデンサＣ３の一端と接続されると共に、スピーカである負荷６に接続されている。なお、コンデンサＣ３の他端はグランドされている。この接続により、コイルＬ１およびコンデンサＣ３でローパスフィルターが形成される。
【００４０】
この出力フィルター（ローパスフィルター）４により復調されたアナログ信号は、負荷６へ出力される。負荷６は、出力フィルター４から出力されたアナログ信号により駆動され（出力フィルター４で復調されたアナログ信号により駆動され）、音を出力する。
【００４１】
ハイパスフィルター５は、電源回路２から供給される正電源電圧＋Ｖや負電源電圧−Ｖの電圧値の上昇に応じて、動作または不動作を切り換える可変式のハイパスフィルターである。
【００４２】
ハイパスフィルター５は、コンデンサＣ４と抵抗Ｒ１とスイッチＳＷ１とから構成されている。コンデンサＣ４の一端は、デジタルパワーアンプ１の入力端子Ａと接続され、コンデンサＣ４の他端は、抵抗Ｒ１の一端およびドライバー回路Ｐ１の入力端子に接続されている。抵抗Ｒ１の他端は、スイッチＳＷ１の一端と接続され、このスイッチＳＷ１の他端は、グランドされている。そして、スイッチＳＷ１の導通、遮断を制御する制御端子ＳＣ１は、その制御端子ＳＣ１を駆動させる駆動回路（図示せず）を介して、電源電圧検出回路７のトランジスタＴＲ１のコレクタ端子ｃと接続されている。
【００４３】
ハイパスフィルター５の動作について説明する。アナログ信号に含まれる低周波信号（特に、周波数２０Ｈｚ以下の信号）がデジタルパワーアンプ１の入力端子Ａに入力され、電源バスパンピングが発生し、電源回路２から供給される正電源電圧＋Ｖや負電源電圧−Ｖの電圧値が上昇して所定値を超えると、電源電圧検出回路７のトランジスタＴＲ１が導通する。すると、スイッチＳＷ１が導通し、抵抗Ｒ１の他端がグランドされる。これにより、ハイパスフィルター５は動作状態となり、入力端子Ａから入力されたアナログ信号に含まれる低周波信号（特に、周波数２０Ｈｚ以下の信号）を減衰して、ドライバー回路Ｐ１の入力端子へ出力する。つまり、入力されたアナログ信号に含まれる低周波信号をハイパスフィルター５で減衰させてアンプ回路３（ドライバー回路Ｐ１の入力端子）へ出力する。これにより、電源回路２から供給される正電源電圧＋Ｖや負電源電圧−Ｖの電圧値の上昇が抑制される。よって、電源回路２に設けられた平滑コンデンサＣ１および平滑コンデンサＣ２の容量を大容量化することなく、電源バスパンピングの発生を抑制することができる。なお、トランジスタＴＲ１の導通とは、トランジスタＴＲ１のコレクタ端子ｃとエミッタ端子ｅとが導通している状態を示している。
【００４４】
一方、電源回路２から供給される正電源電圧＋Ｖや負電源電圧−Ｖの電圧値の上昇が所定値以下であれば、電源電圧検出回路７のトランジスタＴＲ１が遮断する。すると、スイッチＳＷ１が遮断されるので、抵抗Ｒ１の他端がグランドされず、ハイパスフィルター５は不動作状態となる。これにより、入力端子Ａから入力されたアナログ信号は、全周波数帯で減衰されず、ドライバー回路Ｐ１の入力端子へそのまま出力される。つまり、電源バスパンピングが発生していない場合には、ハイパスフィルター５を動作させずに、入力端子Ａに入力されたアナログ信号をアンプ回路３へそのまま出力する（入力端子Ａに入力されたアナログ信号をハイパスフィルター５で減衰させずに、アンプ回路３へそのまま出力する）。よって、デジタルパワーアンプ１により増幅されたアナログ信号の劣化を抑制することができる。なお、トランジスタＴＲ１の遮断とは、トランジスタＴＲ１のコレクタ端子ｃとエミッタ端子ｅとが遮断している状態を示している。
【００４５】
なお、ハイパスフィルター５は、ハイパスフィルター５の動作、不動作を、スイッチＳＷ１の導通、遮断によって切り換える構成としている。よって、ハイパスフィルター５の制御を簡素化することができる。
【００４６】
電源電圧検出回路７は、電源バスパンピングが発生し、電源回路２から供給される正電源電圧＋Ｖや負電源電圧−Ｖの電圧値が上昇した場合に、その上昇を、正電源電圧＋Ｖと負電源電圧−Ｖとの電位差に基づいて検出する回路である。電源電圧検出回路７は、抵抗Ｒｘ，Ｒ２，Ｒ３とＮＰＮ型のトランジスタＴＲ１とスイッチＳＷ２から構成されている。
【００４７】
抵抗Ｒｘの一端は、スイッチングＦＥＴ１のドレイン端子Ｄ１、平滑コンデンサＣ１の一端、整流ダイオードＤｉ１のカソード端子およびスイッチＳＷ２の一端と接続されており、抵抗Ｒｘの他端は、抵抗Ｒ２の一端およびスイッチＳＷ２の他端と接続されている。
【００４８】
抵抗Ｒ２の他端は、抵抗Ｒ３の一端およびトランジスタＴＲ１のベース端子ｂと接続されている。また、抵抗Ｒ３の他端は、スイッチングＦＥＴ２のソース端子Ｓ２、平滑コンデンサＣ２の一端および整流ダイオードＤｉ２のアノード端子と接続されている。
【００４９】
トランジスタＴＲ１のエミッタ端子ｅは、スイッチングＦＥＴ２のソース端子Ｓ２、平滑コンデンサＣ２の一端および整流ダイオードＤｉ２のアノード端子と接続されており、トランジスタＴＲ１のコレクタ端子ｃは、ハイパスフィルター５に設けられたスイッチＳＷ１の制御端子ＳＣ１およびヒステリシス制御回路８の入力端子と接続されている。
【００５０】
ヒステリシス制御回路８は、トランジスタＴＲ１のコレクタ端子ｃの電圧を検出し、電源電圧検出回路７のスイッチＳＷ２の導通、遮断を切り換えて、トランジスタＴＲ１のバイアス電圧を切り換える回路である。ヒステリシス制御回路８の入力端子は、トランジスタＴＲ１のコレクタ端子ｃと接続されており、ヒステリシス制御回路８の出力端子は、スイッチＳＷ２の制御端子ＳＣ２と、その制御端子ＳＣ２を駆動させる駆動回路（図示せず）を介して接続されている。
【００５１】
ここで、ヒステリシス制御回路８と電源電圧検出回路７との動作について、ハイパスフィルター５の動作に合わせながら説明する。正電源電圧＋Ｖや負電源電圧−Ｖの電圧値の上昇が所定値以下である場合には、ヒステリシス制御回路８によりスイッチＳＷ２が遮断状態にされているので、正電源電圧＋Ｖと負電源電圧−Ｖとの電位差は、電源電圧検出回路７に設けられた抵抗Ｒｘ，Ｒ２，Ｒ３によって分圧される。このとき、正電源電圧＋Ｖや負電源電圧−Ｖの電圧値の上昇が所定値以下である場合には、抵抗Ｒ３に発生する電圧、即ちトランジスタＴＲ１のバイアス電圧は、抵抗Ｒｘ，Ｒ２，Ｒ３の分圧比から、トランジスタＴＲ１が導通状態となる電圧（以下、「トランジスタＴＲ１の導通電圧」と称す）未満に設定されているので、トランジスタＴＲ１は遮断状態となる。よって、トランジスタＴＲ１のコレクタ端子ｃの電圧は不定となり、トランジスタＴＲ１のコレクタ端子ｃに接続されたハイパスフィルター５のスイッチＳＷ１が遮断する。よって、電源回路２から供給される正電源電圧＋Ｖや負電源電圧−Ｖの電圧値の上昇が所定値以下である場合には、ハイパスフィルター５は不動作状態を保つ。このとき、ヒステリシス制御回路８は、スイッチＳＷ２を遮断させた状態を保つ。
【００５２】
次に、アナログ信号に含まれる低周波信号（特に、周波数２０Ｈｚ以下の信号）がデジタルパワーアンプ１の入力端子Ａに入力され、電源バスパンピングが発生し、電源回路２から供給される正電源電圧＋Ｖや負電源電圧−Ｖの電圧値が上昇すると、正電源電圧＋Ｖと負電源電圧−Ｖとの電位差が大きくなり、抵抗Ｒ３に発生する電圧、即ちトランジスタＴＲ１のバイアス電圧が上昇する。そして、電源回路２から供給される正電源電圧＋Ｖや負電源電圧−Ｖの電圧値が上昇して所定値を超えると、トランジスタＴＲ１のバイアス電圧がトランジスタＴＲ１の導通電圧以上となり、トランジスタＴＲ１が導通する。これにより、トランジスタＴＲ１のコレクタ端子ｃの電圧は、負電源電圧−Ｖと略同じ電圧となる。すると、トランジスタＴＲ１のコレクタ端子ｃに接続されたハイパスフィルター５のスイッチＳＷ１が導通する。よって、電源回路２から供給される正電源電圧＋Ｖや負電源電圧−Ｖの電圧値が上昇して所定値を超えると、ハイパスフィルター５は動作状態となる。このとき、ヒステリシス制御回路８は、スイッチＳＷ２を遮断状態から導通状態へ切り換える。
【００５３】
次に、ハイパスフィルター５が動作状態となることで、デジタルパワーアンプ１の入力端子Ａに入力される低周波信号が抑制される。この低周波信号の抑制により、電源回路２から供給される正電源電圧＋Ｖや負電源電圧−Ｖの電圧値の上昇が抑制されて、抵抗Ｒ３に発生した電圧が、即ちトランジスタＴＲ１のバイアス電圧が、トランジスタＴＲ１の導通電圧未満となると、トランジスタＴＲ１が遮断される。これにより、トランジスタＴＲ１のコレクタ端子ｃの電圧は不定となり、トランジスタＴＲ１のコレクタ端子ｃに接続されたハイパスフィルター５のスイッチＳＷ１が遮断する。よって、電源回路２から供給される正電源電圧＋Ｖや負電源電圧−Ｖの電圧値の上昇が抑制されると、ハイパスフィルター５は不動作状態となる。このとき、ヒステリシス制御回路８は、スイッチＳＷ２を導通状態から遮断状態へ切り換える。
【００５４】
このように、トランジスタＴＲ１が不動作状態である場合には（電源回路２から供給される正電源電圧＋Ｖや負電源電圧−Ｖの電圧値の上昇が所定値以下である場合には）、ヒステリシス制御回路８によりスイッチＳＷ２が遮断状態となるので、トランジスタＴＲ１のバイアス電圧は、正電源電圧＋Ｖと負電源電圧−Ｖとの電位差を抵抗Ｒｘ，Ｒ２，Ｒ３の３つの抵抗で分圧した後、抵抗Ｒ３に発生する電圧となる。一方、トランジスタＴＲ１が動作状態である場合には（電源回路２から供給される正電源電圧＋Ｖや負電源電圧−Ｖの電圧値が上昇して所定値を超えた場合には）、ヒステリシス制御回路８によりスイッチＳＷ２が導通状態となるので、トランジスタＴＲ１のバイアス電圧は、正電源電圧＋Ｖと負電源電圧−Ｖとの電位差を抵抗Ｒ２，Ｒ３の２つの抵抗で分圧した後、抵抗Ｒ３に発生する電圧となる。
【００５５】
つまり、ハイパスフィルター５が不動作状態であるよりも、ハイパスフィルター５が動作状態である方が、分圧抵抗の数が少ないので、正電源電圧＋Ｖと負電源電圧−Ｖとの電位差が同じであっても、抵抗Ｒ３に発生する電圧が高くなる。よって、ハイパスフィルター５が不動作状態であるよりも、ハイパスフィルター５が動作状態である方が、正電源電圧＋Ｖと負電源電圧−Ｖとの電位差が同じであっても、トランジスタＴＲ１のバイアス電圧が高くなる。ここで、トランジスタＴＲ１の導通電圧は、固定値である。従って、ハイパスフィルター５が動作状態であるときは、ハイパスフィルター５が不動作状態であるときよりも正電源電圧＋Ｖと負電源電圧−Ｖとの電位差が小さくなっても、トランジスタＴＲ１の導通を安定して維持しておくことができる。
【００５６】
このように、ハイパスフィルター５が動作状態となった場合には、電源回路２から供給される正電源電圧＋Ｖや負電源電圧−Ｖの電圧値の上昇が十分抑制されて、正電源電圧＋Ｖと負電源電圧−Ｖとの電位差が十分に小さくなるまでは、ハイパスフィルター５を安定して動作状態にしておくことができる。よって、電源回路２から供給される正電源電圧＋Ｖや負電源電圧−Ｖの電圧値の上昇が十分に抑制されず、正電源電圧＋Ｖや負電源電圧−Ｖの電圧値が不安定に変動しても（正電源電圧＋Ｖと負電源電圧−Ｖとの電位差が不安定に変動しても）、ハイパスフィルター５が動作状態と不動作状態を繰り返すことを防止することができる。
【００５７】
本実施形態によれば、アナログ信号に含まれる低周波信号（特に、周波数２０Ｈｚ以下の信号）がデジタルパワーアンプ１の入力端子Ａに入力され、電源バスパンピングが発生し、電源回路２から供給される正電源電圧＋Ｖや負電源電圧−Ｖの電圧値が上昇して所定値を超えると、ハイパスフィルター５を動作状態にして、入力端子Ａから入力されたアナログ信号に含まれる低周波信号（特に、周波数２０Ｈｚ以下の信号）を減衰して、ドライバー回路Ｐ１の入力端子へ出力する。つまり、入力されたアナログ信号に含まれる低周波信号をハイパスフィルター５で減衰させてアンプ回路３（ドライバー回路Ｐ１の入力端子）へ出力する。これにより、電源回路２から供給される正電源電圧＋Ｖや負電源電圧−Ｖの電圧値の上昇が抑制される。よって、電源回路２に設けられた平滑コンデンサＣ１および平滑コンデンサＣ２の容量を大容量化することなく、電源バスパンピングの発生を抑制することができる。
【００５８】
一方、電源回路２から供給される正電源電圧＋Ｖや負電源電圧−Ｖの電圧値の上昇が所定値以下の場合には、ハイパスフィルター５を不動作状態にする。これにより、入力端子Ａから入力されたアナログ信号は全周波数帯で減衰されず、ドライバー回路Ｐ１の入力端子へそのまま出力される。つまり、電源バスパンピングが発生していない場合には、ハイパスフィルター５を動作させずに、入力端子Ａに入力されたアナログ信号をアンプ回路３へそのまま出力する（入力端子Ａに入力されたアナログ信号をハイパスフィルター５で減衰させずに、アンプ回路３へそのまま出力する）。よって、デジタルパワーアンプ１により増幅されたアナログ信号の劣化を抑制することができる。
【００５９】
次に、図２を参照して、第２実施形態のデジタルパワーアンプ１０について説明する。図２は、デジタルパワーアンプ１０の構成を示す回路図である。第２実施形態のデジタルパワーアンプ１０は、第１実施形態のデジタルパワーアンプ１に設けられたハイパスフィルター５を、低域遮断周波数を変化させることが可能なハイパスフィルターである周波数可変型ハイパスフィルター１９に換えたものである。よって、第２実施形態のデジタルパワーアンプ１０では、第１実施形態のデジタルパワーアンプ１と同一の部分には同一の符号を付し、その説明を省略する。
【００６０】
デジタルパワーアンプ１０は、アナログ信号に含まれる低周波信号（特に、周波数２０Ｈｚ以下の信号）が入力端子Ａに入力され、電源バスパンピングが発生し、電源回路２から供給される正電源電圧＋Ｖや負電源電圧−Ｖの電圧値が上昇して所定値を超えた場合に、その上昇の程度に応じて、周波数可変型ハイパスフィルター１９の低域遮断周波数を高くして、入力端子Ａから入力されたアナログ信号に含まれる低周波信号（特に、周波数２０Ｈｚ以下の信号）の減衰量を増加させる。そして、その増加した減衰量に基づいて、入力端子Ａから入力されたアナログ信号に含まれる低周波信号を減衰して、アンプ回路３へ出力する。
【００６１】
一方で、デジタルパワーアンプ１０は、電源バスパンピングが発生していない場合には（電源回路２から供給される正電源電圧＋Ｖや負電源電圧−Ｖの電圧値の上昇が所定値以下の場合には）、周波数可変型ハイパスフィルター１９の低域遮断周波数を最小にして、入力端子Ａから入力されたアナログ信号に含まれる低周波信号（特に、周波数２０Ｈｚ以下の信号）の減衰量を最小にする。これにより、入力端子Ａに入力されたアナログ信号を周波数可変型ハイパスフィルター１９でほとんど減衰させずに、アンプ回路３へ出力する。
【００６２】
周波数可変型ハイパスフィルター１９は、電源電圧検出回路７に設けられたトランジスタＴＲ１のコレクタ端子ｃの電圧に応じて、低域遮断周波数を変化させる周波数可変型のハイパスフィルターである。周波数可変型ハイパスフィルター１９は、コンデンサＣ５、抵抗Ｒ４、および抵抗値を可変できる可変抵抗ＲＬとから構成されている。コンデンサＣ５の一端は、デジタルパワーアンプ１０の入力端子Ａと接続され、コンデンサＣ５の他端は、抵抗Ｒ４の一端およびドライバー回路Ｐ１の入力端子に接続されている。抵抗Ｒ４の他端は、可変抵抗ＲＬの一端と接続され、この可変抵抗ＲＬの他端はグランドされている。そして、可変抵抗ＲＬの抵抗値を変化させる制御端子ＳＬは、その制御端子ＳＬを駆動させる駆動回路（図示せず）を介して、電源電圧検出回路７に設けられたトランジスタＴＲ１のコレクタ端子ｃと接続されている。
【００６３】
なお、可変抵抗ＲＬは、トランジスタＴＲ１のコレクタ端子ｃの電圧が大きくなると抵抗値を小さくする一方、トランジスタＴＲ１のコレクタ端子ｃの電圧が小さくなると抵抗値を大きくする抵抗であるが、この構成としては、次のものが例示される。可変抵抗ＲＬとしては、例えば、抵抗値が異なる複数の抵抗回路と、トランジスタＴＲ１のコレクタ端子ｃの電圧に応じてスイッチングを行うスイッチング素子とを有し、トランジスタＴＲ１のコレクタ端子ｃの電圧に応じて、スイッチング素子のスイッチングを切り換え、複数の抵抗回路の内から１の抵抗回路と接続を行って抵抗値を切り換えるものが例示される。
【００６４】
周波数可変型ハイパスフィルター１９の動作について説明する。アナログ信号に含まれる低周波信号（特に、周波数２０Ｈｚ以下の信号）がデジタルパワーアンプ１の入力端子Ａに入力され、電源バスパンピングが発生し、電源回路２から供給される正電源電圧＋Ｖや負電源電圧−Ｖの電圧値が上昇して所定値を超えると、電源電圧検出回路７のトランジスタＴＲ１のバイアス電圧（抵抗Ｒ３に発生する電圧）がトランジスタＴＲ１の導通電圧以上となり、トランジスタＴＲ１が導通する。すると、トランジスタＴＲ１のコレクタ端子ｃに電圧が印加され（可変抵抗ＲＬの制御端子ＳＬに電圧が印加され）、可変抵抗ＲＬの抵抗値が決定される。これにより、周波数可変型ハイパスフィルター１９の低域遮断周波数が決定される。また、入力されたアナログ信号に含まれる低周波信号の減衰量が決定される。
【００６５】
次に、トランジスタＴＲ１の導通時よりも、電源回路２から供給される正電源電圧＋Ｖや負電源電圧−Ｖの電圧値が上昇すると、トランジスタＴＲ１のバイアス電圧（抵抗Ｒ３に発生する電圧）が上昇する。すると、トランジスタＴＲ１のコレクタ端子ｃの電圧も上昇し（可変抵抗ＲＬの制御端子ＳＬに印加される電圧も上昇し）、可変抵抗ＲＬの抵抗値が小さくなる。これにより、周波数可変型ハイパスフィルター１９の低域遮断周波数が高くなる。そして、入力されたアナログ信号に含まれる低周波信号の減衰量が増加する。よって、電源回路２から供給される正電源電圧＋Ｖや負電源電圧−Ｖの電圧値が所定値を超えて上昇している場合には、入力されたアナログ信号に含まれる低周波信号の減衰量を増加して、正電源電圧＋Ｖや負電源電圧−Ｖの電圧値を急激に低下させることができる（正電源電圧＋Ｖや負電源電圧−Ｖの電圧値の上昇を急激に抑制することができる）。
【００６６】
そして、入力されたアナログ信号に含まれる低周波信号の減衰量が増加して、電源回路２から供給される正電源電圧＋Ｖや負電源電圧−Ｖの電圧値が低下すると、トランジスタＴＲ１のバイアス電圧（抵抗Ｒ３に発生する電圧）が低下する。すると、トランジスタＴＲ１のコレクタ端子ｃの電圧も低下し（可変抵抗ＲＬの制御端子ＳＬに印加される電圧も低下し）、可変抵抗ＲＬの抵抗値が大きくなる。これにより、周波数可変型ハイパスフィルター１９の低域遮断周波数が低くなる。そして、入力されたアナログ信号に含まれる低周波信号の減衰量が減少する。よって、電源回路２から供給される正電源電圧＋Ｖや負電源電圧−Ｖの電圧値が低下すると（正電源電圧＋Ｖや負電源電圧−Ｖの電圧値の上昇が抑制されると）、入力されたアナログ信号に含まれる低周波信号の減衰量を減少して、正電源電圧＋Ｖや負電源電圧−Ｖの電圧値を緩やかに低下させることができる（正電源電圧＋Ｖや負電源電圧−Ｖの電圧値の上昇を緩やかに抑制することができる）。
【００６７】
このように、デジタルパワーアンプ１０では、アナログ信号に含まれる低周波信号を適正且つ円滑に減衰した上で、正電源電圧＋Ｖや負電源電圧−Ｖの電圧値の上昇を適正且つ円滑に抑制することができる。
【００６８】
次に、電源回路２から供給される正電源電圧＋Ｖや負電源電圧−Ｖの電圧値の上昇が抑制され、正電源電圧＋Ｖや負電源電圧−Ｖの電圧値が低下して所定値以下となると、電源電圧検出回路７のトランジスタＴＲ１のバイアス電圧（抵抗Ｒ３に発生する電圧）がトランジスタＴＲ１の導通電圧未満となり、トランジスタＴＲ１が遮断する。すると、トランジスタＴＲ１のコレクタ端子ｃの電圧は不定となり、可変抵抗ＲＬの抵抗値は最大となる。これにより、周波数可変型ハイパスフィルター１９の低域遮断周波数は最小となる。このとき、入力端子Ａに入力されたアナログ信号は周波数可変型ハイパスフィルター１９でほとんど減衰させずに、アンプ回路３へ出力される。よって、デジタルパワーアンプ１０により増幅されたアナログ信号の劣化を抑制することができる。
【００６９】
上述した通り、第２実施形態のデジタルパワーアンプ１０は、アナログ信号に含まれる低周波信号（特に、周波数２０Ｈｚ以下の信号）が入力端子Ａに入力され、電源バスパンピングが発生し、電源回路２から供給される正電源電圧＋Ｖや負電源電圧−Ｖの電圧値が上昇して所定値を超えた場合に、その上昇の程度に応じて、周波数可変型ハイパスフィルター１９の低域遮断周波数を高くして、入力端子Ａから入力されたアナログ信号に含まれる低周波信号（特に、周波数２０Ｈｚ以下の信号）の減衰量を増加させる。そして、その増加した減衰量に基づいて、入力端子Ａから入力されたアナログ信号に含まれる低周波信号を減衰して、アンプ回路３へ出力する。これにより、電源回路２から供給される正電源電圧＋Ｖや負電源電圧−Ｖの電圧値の上昇が抑制される。よって、電源回路２に設けられた平滑コンデンサＣ１および平滑コンデンサＣ２の容量を大容量化することなく、電源バスパンピングの発生を抑制することができる。
【００７０】
一方で、デジタルパワーアンプ１０は、電源バスパンピングが発生していない場合には（電源回路２から供給される正電源電圧＋Ｖや負電源電圧−Ｖの電圧値の上昇が所定値以下の場合には）、周波数可変型ハイパスフィルター１９の低域遮断周波数を最小にして、入力端子Ａから入力されたアナログ信号に含まれる低周波信号（特に、周波数２０Ｈｚ以下の信号）の減衰量を最小にする。これにより、入力端子Ａに入力されたアナログ信号を周波数可変型ハイパスフィルター１９でほとんど減衰させずに、アンプ回路３へ出力する。よって、デジタルパワーアンプ１０により増幅されたアナログ信号の劣化を抑制することができる。
【００７１】
次に、図３を参照して、第３実施形態のデジタルパワーアンプ３０について説明する。図３（ａ）は、デジタルパワーアンプ３０の構成を示す回路図である。また、図３（ｂ）は、リミッタフィルター２０によって電圧の一部が所定電圧値に制限された低周波信号の電圧波形を示した図である。
【００７２】
第３実施形態のデジタルパワーアンプ３０は、第１実施形態のデジタルパワーアンプ１に設けられたハイパスフィルター５を、入力されたアナログ信号から低周波信号を取り出し、その取り出した低周波信号の電圧の一部を所定電圧値に制限するリミッタフィルター２０に変えたものである。よって、第３実施形態のデジタルパワーアンプ３０では、第１実施形態のデジタルパワーアンプ１と同一の部分には同一の符号を付し、その説明を省略する。
【００７３】
デジタルパワーアンプ３０は、入力端子Ａに入力されたアナログ信号をリミッタフィルター２０で低周波信号とその低周波信号以外の信号（以下、「高周波信号」と称す）とに分配する。そして、電源バスパンピングが発生し、電源回路２から供給される正電源電圧＋Ｖや負電源電圧−Ｖの電圧値が上昇して所定値を超えていれば、リミッタフィルター２０で分配した低周波信号の電圧の一部を所定電圧値に制限する。そして、電圧の一部が所定電圧値に制限された低周波信号を、リミッタフィルター２０で高周波信号と合成して、アンプ回路３へ出力する。つまり、デジタルパワーアンプ３０は、入力端子Ａから入力されたアナログ信号に含まれる低周波信号（特に、周波数２０Ｈｚ以下の信号）の強度を弱めて（アナログ信号に含まれる低周波信号を減衰させて）、アンプ回路３へ出力する。
【００７４】
一方で、デジタルパワーアンプ３０は、電源バスパンピングが発生していない場合には（電源回路２から供給される正電源電圧＋Ｖや負電源電圧−Ｖの電圧値の上昇が所定値以下の場合には）、リミッタフィルター２０で分配した低周波信号の電圧の一部を所定電圧値に制限することなく、リミッタフィルター２０で高周波信号と合成して、アンプ回路３へ出力する。これにより、入力端子Ａに入力されたアナログ信号に含まれる低周波信号をリミッタフィルター２０で減衰させずに、アンプ回路３へ出力する。
【００７５】
リミッタフィルター２０は、入力されたアナログ信号を低周波信号と高周波信号とに分配した後、電源電圧検出回路７のトランジスタＴＲ１の導通、遮断に応じて、低周波信号の電圧の一部を所定電圧値に制限する切換式のリミッタ機能を有するフィルターである。リミッタフィルター２０は、コンデンサＣ６，Ｃ７と抵抗Ｒ５，Ｒ６，Ｒ７，Ｒ８とダイオードＤｉ３，Ｄｉ４とスイッチＳＷ３とから構成されている。コンデンサＣ６の一端は、デジタルパワーアンプ３０の入力端子Ａおよび抵抗Ｒ７の一端と接続され、コンデンサＣ６の他端は、抵抗Ｒ５の一端および抵抗Ｒ６の一端と接続されている。抵抗Ｒ５の他端は、グランドされており、抵抗Ｒ６の他端は、抵抗Ｒ８の他端と接続されると共に、ドライバー回路Ｐ１の入力端子に接続されている。なお、コンデンサＣ６と抵抗Ｒ５により形成されるハイパスフィルターが分配用ハイパスフィルター２１となる。この分配用ハイパスフィルター２１によって、入力されたアナログ信号から高周波信号を取り出すことができる。
【００７６】
抵抗Ｒ７の一端は、コンデンサＣ６の一端およびデジタルパワーアンプ３０の入力端子Ａに接続されており、抵抗Ｒ７の他端は、コンデンサＣ７の一端、ダイオードＤｉ３のアノード端子、ダイオードＤｉ４のカソード端子および抵抗Ｒ８の一端と接続されている。コンデンサＣ７の他端は、グランドされており、ダイオードＤｉ３のカソード端子およびダイオードＤｉ４のアノード端子は、スイッチＳＷ３の一端と接続されている。また、スイッチＳＷ３の他端は、グランドされており、スイッチＳＷ３の制御端子ＳＣ３は、その制御端子ＳＣ３を駆動させる駆動回路（図示せず）を介して、電源電圧検出回路７のトランジスタＴＲ１のコレクタ端子ｃと接続されている。また、抵抗Ｒ８の他端は、抵抗Ｒ６の一端およびドライバー回路Ｐ１の入力端子に接続されている。
【００７７】
なお、抵抗Ｒ７とコンデンサＣ７により形成されるローパスフィルターが分配用ローパスフィルター２２となる。この分配用ローパスフィルター２２によって、入力されたアナログ信号から低周波信号を取り出すことができる。また、ダイオードＤｉ３とダイオードＤｉ４とにより、分配用ローパスフィルター２２により取り出された低周波信号の電圧の一部を所定電圧値に制限する電圧制限回路２３が形成されている。更に、分配用ローパスフィルター２２の高域遮断周波数は、分配用ハイパスフィルター２１の低域遮断周波数と一致している。
【００７８】
リミッタフィルター２０の動作について説明する。まず、リミッタフィルター２０は、デジタルパワーアンプ３０の入力端子Ａにアナログ信号が入力されると、分配用ハイパスフィルター２１で、入力されたアナログ信号から高周波信号を取り出す。一方、リミッタフィルター２０は、分配用ローパスフィルター２２で、入力されたアナログ信号から低周波信号を取り出す。
【００７９】
次に、電源バスパンピングが発生し、電源回路２から供給される正電源電圧＋Ｖや負電源電圧−Ｖの電圧値が上昇して所定値を超えていれば、電源電圧検出回路７のトランジスタＴＲ１が導通されるので、リミッタフィルター２０は、スイッチＳＷ３を導通させる。すると、リミッタフィルター２０は、分配用ローパスフィルター２２で取り出した低周波信号の電圧の一部を、電圧制限回路２３で所定電圧値に制限する。
【００８０】
ここで、図３（ｂ）を参照して、電圧制限回路２３によって電圧の一部が所定電圧値に制限された低周波信号の電圧波形について説明する。電圧制限回路２３によって低周波信号の電圧が所定電圧値に制限されると、低周波信号の電圧が所定電圧値を越えた部分は、所定電圧値に制限される。一方、低周波信号の電圧が所定電圧値以下の部分は、電圧波形が維持される。このように、低周波信号の電圧の一部を所定電圧値に制限することで、リミッタフィルター２０は、入力されたアナログ信号に含まれる低周波信号を所定量残すことができる。よって、入力されたアナログ信号に含まれる低周波信号をハイパスフィルターで一律に減衰させる場合と比較して、リミッタフィルター２０は、アナログ信号に含まれる低周波信号の劣化を抑制することができる。
【００８１】
図３（ａ）の説明に戻る。電圧制限回路２３によって、電圧の一部が所定電圧値に制限された低周波信号は、抵抗Ｒ８に入力される。一方で、分配用ハイパスフィルター２１で取り出した高周波信号は、スイッチＳＷ３の状態に関係なく、そのまま抵抗Ｒ６に入力される。そして、この高周波信号と、電圧制限回路２３によって電圧の一部が所定電圧値に制限された低周波信号とが合成されて、ドライバー回路Ｐ１の入力端子に入力される。
【００８２】
一方、電源バスパンピングが発生しなければ（電源回路２から供給される正電源電圧＋Ｖや負電源電圧−Ｖの電圧値の上昇が所定値以下の場合には）、電源電圧検出回路７のトランジスタＴＲ１が遮断されるので、リミッタフィルター２０は、スイッチＳＷ３を遮断させる。すると、電圧制限回路２３が不動作となり、分配用ローパスフィルター２２で取り出された低周波信号は、電圧が制限されることなく、抵抗Ｒ８へ出力される。そして、この低周波信号と、分配用ハイパスフィルター２１で取り出された高周波信号とが合成されて、ドライバー回路Ｐ１の入力端子へ出力される。ここで、前述の通り、分配用ローパスフィルター２２の高域遮断周波数は、分配用ハイパスフィルター２１の低域遮断周波数と一致している。よって、電源回路２から供給される正電源電圧＋Ｖや負電源電圧−Ｖの電圧値の上昇が所定値以下の場合には、リミッタフィルター２０は、入力端子Ａに入力されたアナログ信号をほとんど減衰させることなくドライバー回路Ｐ１へ出力する。従って、デジタルパワーアンプ３０により増幅されたアナログ信号の劣化を抑制することができる。
【００８３】
前述した通り、デジタルパワーアンプ３０は、電源バスパンピングが発生し、電源回路２から供給される正電源電圧＋Ｖや負電源電圧−Ｖの電圧値が上昇して所定値を超えていれば、入力端子Ａから入力されたアナログ信号に含まれる低周波信号（特に、周波数２０Ｈｚ以下の信号）の強度をリミッタフィルター２０で弱めて（アナログ信号に含まれる低周波信号を減衰させて）、ドライバー回路Ｐ１へ出力する。これにより、デジタルパワーアンプ３０は、電源回路２から供給される正電源電圧＋Ｖや負電源電圧−Ｖの電圧値の上昇を抑制することができる。よって、電源回路２に設けられた平滑コンデンサＣ１および平滑コンデンサＣ２の容量を大容量化することなく、電源バスパンピングの発生を抑制することができる。
【００８４】
更に、デジタルパワーアンプ３０は、入力端子Ａから入力されたアナログ信号に含まれる低周波信号（特に、周波数２０Ｈｚ以下の信号）の電圧の一部をリミッタフィルター２０で所定電圧値に制限するので、入力されたアナログ信号の低周波信号を所定量残した上で、ドライバー回路Ｐ１へ出力することができる。従って、デジタルパワーアンプ３０は、入力されたアナログ信号の低周波信号をハイパスフィルターで一律に減衰させてドライバー回路Ｐ１へ出力する場合と比較して、デジタルパワーアンプ３０により増幅されたアナログ信号の劣化を抑制することができる。
【００８５】
一方で、デジタルパワーアンプ３０は、電源バスパンピングが発生していない場合には（電源回路２から供給される正電源電圧＋Ｖや負電源電圧−Ｖの電圧値の上昇が所定値以下の場合には）、リミッタフィルター２０で分配した低周波信号の電圧の一部を所定電圧値に制限することなく、リミッタフィルター２０で高周波信号と合成して、ドライバー回路Ｐ１へ出力する。これにより、入力端子Ａに入力されたアナログ信号に含まれる低周波信号をリミッタフィルター２０でほとんど減衰させずに、ドライバー回路Ｐ１へ出力する。従って、デジタルパワーアンプ３０により増幅されたアナログ信号の劣化を抑制することができる。
【００８６】
次に、図４を参照して、第４実施形態のデジタルパワーアンプ４０について説明する。図４は、デジタルパワーアンプ４０の構成を示す回路図である。第４実施形態のデジタルパワーアンプ４０は、第１実施形態のデジタルパワーアンプ１に設けられた電源電圧検出回路７を、正電源電圧＋Ｖの電圧値の上昇を検出する正電源電圧検出回路４１と、負電源電圧−Ｖの電圧値の上昇を検出する負電源電圧検出回路４２とに分けたものである。よって、第４実施形態のデジタルパワーアンプ４０では、第１実施形態のデジタルパワーアンプ１と同一の部分には同一の符号を付し、その説明を省略する。
【００８７】
デジタルパワーアンプ４０は、正電源電圧検出回路４１で電源回路２から供給される正電源電圧＋Ｖの電圧値の上昇を検出し、負電源電圧検出回路４２で電源回路２から供給される負電源電圧−Ｖの電圧値の上昇を検出しているので、正電源電圧＋Ｖの電圧値と負電源電圧−Ｖの電圧値との両方が上昇した場合に加え、正電源電圧＋Ｖの電圧値だけや、負電源電圧−Ｖの電圧値だけが上昇した場合でも、その電圧値の上昇を検出することができる。
【００８８】
正電源電圧検出回路４１は、電源バスパンピングが発生し、電源回路２から供給される正電源電圧＋Ｖの電圧値が上昇した場合に、その上昇を検出する回路である。正電源電圧検出回路４１は、抵抗Ｒｘ２，Ｒ９，Ｒ１０とＮＰＮ型のトランジスタＴＲ２とスイッチＳＷ４から構成されている。
【００８９】
抵抗Ｒｘ２の一端は、スイッチングＦＥＴ１のドレイン端子Ｄ１、平滑コンデンサＣ１の一端、整流ダイオードＤｉ１のカソード端子およびスイッチＳＷ４の一端と接続されており、抵抗Ｒｘ２の他端は、抵抗Ｒ９の一端およびスイッチＳＷ４の他端と接続されている。
【００９０】
抵抗Ｒ９の他端は、抵抗Ｒ１０の一端およびトランジスタＴＲ２のベース端子ｂと接続されている。また、抵抗Ｒ１０の他端は、グランドされており、トランジスタＴＲ２のエミッタ端子ｅも、グランドされている。トランジスタＴＲ２のコレクタ端子ｃは、ハイパスフィルター５に設けられたスイッチＳＷ１の制御端子ＳＣ１、負電源電圧検出回路４２のトランジスタＴＲ３のコレクタ端子ｃおよびヒステリシス制御回路８の入力端子と接続されている。そして、ヒステリシス制御回路８の出力端子は、スイッチＳＷ４の制御端子ＳＣ４と、その制御端子ＳＣ４を駆動させる駆動回路（図示せず）を介して接続されている。
【００９１】
正電源電圧検出回路４１の動作について説明する。正電源電圧検出回路４１では、電源回路２から供給される正電源電圧＋Ｖの電圧値の上昇が所定値以下であれば、（電源バスパンピングが発生しなければ）、ヒステリシス制御回路８によりスイッチＳＷ４が遮断された状態となる。これにより、電源回路２から供給される正電源電圧＋Ｖの電圧値が、抵抗Ｒｘ２，Ｒ９，Ｒ１０で分圧される。このとき、抵抗Ｒ１０に発生する電圧、即ちトランジスタＴＲ２のバイアス電圧は、抵抗Ｒｘ２，Ｒ９，Ｒ１０の分圧比により、トランジスタＴＲ２の導通電圧未満に設定されているので、トランジスタＴＲ２は遮断された状態となる。トランジスタＴＲ２が遮断されていれば、トランジスタＴＲ２のコレクタ端子ｃの電圧は不定となり、トランジスタＴＲ２のコレクタ端子ｃに接続されたハイパスフィルター５のスイッチＳＷ１が遮断する。よって、電源回路２から供給される正電源電圧＋Ｖの電圧値の上昇が所定値以下であれば、正電源電圧検出回路４１は、ハイパスフィルター５を不動作状態にする。
【００９２】
次に、アナログ信号に含まれる低周波信号（特に、周波数２０Ｈｚ以下の信号）がデジタルパワーアンプ４０の入力端子Ａに入力され、電源バスパンピングが発生し、電源回路２から供給される正電源電圧＋Ｖの電圧値が上昇すると、抵抗Ｒ１０に発生する電圧、即ちトランジスタＴＲ２のバイアス電圧が上昇する。そして、電源回路２から供給される正電源電圧＋Ｖの電圧値が上昇して所定値を超えると、トランジスタＴＲ２のバイアス電圧がトランジスタＴＲ２の導通電圧以上となり、トランジスタＴＲ２が導通する。これにより、トランジスタＴＲ２のコレクタ端子ｃの電圧は動作電圧となり、トランジスタＴＲ２のコレクタ端子ｃに接続されたハイパスフィルター５のスイッチＳＷ１が導通する。よって、電源回路２から供給される正電源電圧＋Ｖの電圧値が上昇して所定値を超えると、正電源電圧検出回路４１は、ハイパスフィルター５を動作状態にする。なお、このとき、ヒステリシス制御回路８は、第１実施形態のデジタルパワーアンプ１と同様、スイッチＳＷ４を導通させて（抵抗Ｒｘ２の一端と他端とをショートして）、電源回路２から供給される正電源電圧＋Ｖを抵抗Ｒ９，Ｒ１０で分圧する。
【００９３】
負電源電圧検出回路４２は、電源バスパンピングが発生し、電源回路２から供給される負電源電圧−Ｖの電圧値が上昇した場合に、その上昇を検出する回路である。負電源電圧検出回路４２は、抵抗Ｒｘ３，Ｒ１１，Ｒ１２とＰＮＰ型のトランジスタＴＲ３とスイッチＳＷ５から構成されている。
【００９４】
抵抗Ｒｘ３の一端は、スイッチングＦＥＴ２のソース端子Ｓ２、平滑コンデンサＣ２の一端、整流ダイオードＤｉ２のアノード端子およびスイッチＳＷ５の一端と接続されており、抵抗Ｒｘ３の他端は、抵抗Ｒ１１の一端およびスイッチＳＷ５の他端と接続されている。
【００９５】
抵抗Ｒ１１の他端は、抵抗Ｒ１２の一端およびトランジスタＴＲ３のベース端子ｂと接続されている。また、抵抗Ｒ１２の他端は、グランドされており、トランジスタＴＲ３のエミッタ端子ｅも、グランドされている。トランジスタＴＲ３のコレクタ端子ｃは、ハイパスフィルター５に設けられたスイッチＳＷ１の制御端子ＳＣ１、正電源電圧検出回路４１のトランジスタＴＲ２のコレクタ端子ｃおよびヒステリシス制御回路８の入力端子と接続されている。そして、ヒステリシス制御回路８の出力端子は、スイッチＳＷ５の制御端子ＳＣ５と、その制御端子ＳＣ５を駆動させる駆動回路（図示せず）を介して接続されている。
【００９６】
負電源電圧検出回路４２の動作について説明する。負電源電圧検出回路４２では、電源回路２から供給される負電源電圧−Ｖの電圧値の上昇が所定値以下であれば、（電源バスパンピングが発生しなければ）、ヒステリシス制御回路８によりスイッチＳＷ５が遮断された状態となる。これにより、電源回路２から供給される負電源電圧−Ｖの電圧値が、抵抗Ｒｘ３，Ｒ１１，Ｒ１２で分圧される。このとき、抵抗Ｒ１２に発生する電圧、即ちトランジスタＴＲ３のバイアス電圧は、抵抗Ｒｘ３，Ｒ１１，Ｒ１２の分圧比により、トランジスタＴＲ３の導通電圧未満に設定されているので、トランジスタＴＲ３は遮断された状態となる。トランジスタＴＲ３が遮断されていれば、トランジスタＴＲ３のコレクタ端子ｃの電圧は不定となり、トランジスタＴＲ３のコレクタ端子ｃに接続されたハイパスフィルター５のスイッチＳＷ１が遮断する。よって、電源回路２から供給される負電源電圧−Ｖの電圧値の上昇が所定値以下であれば、負電源電圧検出回路４２は、ハイパスフィルター５を不動作状態にする。
【００９７】
次に、アナログ信号に含まれる低周波信号（特に、周波数２０Ｈｚ以下の信号）がデジタルパワーアンプ４０の入力端子Ａに入力され、電源バスパンピングが発生し、電源回路２から供給される負電源電圧−Ｖの電圧値が上昇すると、抵抗Ｒ１２に発生する電圧、即ちトランジスタＴＲ３へのバイアス電圧が上昇する。そして、電源回路２から供給される負電源電圧−Ｖの電圧値が上昇して所定値を超えると、トランジスタＴＲ３のバイアス電圧がトランジスタＴＲ３の導通電圧以上となり、トランジスタＴＲ３が導通する。これにより、トランジスタＴＲ３のコレクタ端子ｃの電圧は動作電圧となり、トランジスタＴＲ３のコレクタ端子ｃに接続されたハイパスフィルター５のスイッチＳＷ１が導通する。よって、電源回路２から供給される負電源電圧−Ｖの電圧値が上昇して所定値を超えると、負電源電圧検出回路４２は、ハイパスフィルター５を動作状態にする。なお、このとき、ヒステリシス制御回路８は、第１実施形態のデジタルパワーアンプ１と同様、スイッチＳＷ５を導通させて（抵抗Ｒｘ３の一端と他端とをショートして）、電源回路２から供給される負電源電圧−Ｖを抵抗Ｒ１１，Ｒ１２で分圧する。
【００９８】
上述した通り、正電源電圧＋Ｖの電圧値の上昇を正電源電圧検出回路４１で検出し、負電源電圧−Ｖの電圧値の上昇を負電源電圧検出回路４２で検出することで、正電源電圧＋Ｖの電圧値だけや、負電源電圧−Ｖの電圧値だけが上昇して所定値を超えた場合でも、その電圧値の上昇を検出し、ハイパスフィルター５を動作状態にすることができる。なお、正電源電圧検出回路４１のトランジスタＴＲ２のコレクタ端子ｃと、負電源電圧検出回路４２のトランジスタＴＲ３のコレクタ端子ｃとは、並列接続されて、ハイパスフィルター５のスイッチＳＷ１の制御端子ＳＣ１に接続されているので、電源バスパンピングが発生し、電源回路２から供給される正電源電圧＋Ｖの電圧値と負電源電圧−Ｖの電圧値との両方が上昇して所定値を超えた場合にも、その電圧値の上昇を検出し、ハイパスフィルター５を動作状態にすることができる。
【００９９】
次に、図５を参照して、第５実施形態のデジタルパワーアンプ５０について説明する。図５は、デジタルパワーアンプ５０の構成を示す回路図である。第５実施形態のデジタルパワーアンプ５０は、第１実施形態のデジタルパワーアンプ１に設けられた電源電圧検出回路７からスイッチＳＷ２および抵抗Ｒｘを削除して、ヒステリシス制御回路８を削除し、コントロール回路５１を追加したものである。よって、第５実施形態のデジタルパワーアンプ５０では、第１実施形態のデジタルパワーアンプ１と同一の部分には同一の符号を付し、その説明を省略する。
【０１００】
デジタルパワーアンプ５０は、電源バスパンピングが発生し、電源回路２から供給される正電源電圧＋Ｖや負電源電圧−Ｖの電圧値が上昇して所定値を超え、スイッチＳＷ１が導通した後に、電源回路２から供給される正電源電圧＋Ｖや負電源電圧−Ｖの電圧値の上昇が所定値以下となっても、所定時間が経過するまでは、スイッチＳＷ１を遮断せず、スイッチＳＷ１を継続して導通させておき（ハイパスフィルター５を継続して動作させておき）、入力端子Ａから入力されたアナログ信号に含まれる低周波信号の減衰を継続させるものである。
【０１０１】
固定式電源電圧検出回路５３は、電源バスパンピングが発生し、電源回路２から供給される正電源電圧＋Ｖの電圧値が上昇した場合に、その上昇を検出する回路である。なお、固定式電源電圧検出回路５３は、電源電圧検出回路７からスイッチＳＷ２および抵抗Ｒｘを削除したものであり、正電源電圧＋Ｖと負電源電圧−Ｖとの電位差の分圧比を調整できないことを除いては、電源電圧検出回路７と同一の回路構成（回路動作）であるので、その説明を書略する。なお、固定式電源電圧検出回路５３のトランジスタＴＲ１のコレクタ端子ｃは、コントロール回路５１の入力端子と接続されている。
【０１０２】
コントロール回路５１は、電源回路２から供給される正電源電圧＋Ｖや負電源電圧−Ｖの電圧値の上昇が所定値以下となり、固定式電源電圧検出回路５３のトランジスタＴＲ１が遮断状態となっても、電源回路２から供給される正電源電圧＋Ｖや負電源電圧−Ｖの電圧値の上昇が所定値以下となってから所定時間が経過するまでは（本実施形態では、１０秒間が経過するまでは）、スイッチＳＷ１を継続して導通させ、ハイパスフィルター５を継続して動作状態にする回路である。コントロール回路５１の入力端子は、固定式電源電圧検出回路５３のトランジスタＴＲ１のコレクタ端子ｃと接続され、コントロール回路５１の出力端子は、スイッチＳＷ１の制御端子ＳＣ１と、その制御端子ＳＣ１を駆動させる駆動回路（図示せず）を介して接続されている。
【０１０３】
なお、コントロール回路５１は、電源回路２から供給される正電源電圧＋Ｖや負電源電圧−Ｖの電圧値が上昇して所定値を超え、固定式電源電圧検出回路５３のトランジスタＴＲ１が導通状態となった場合には、即座に、スイッチＳＷ１を導通させ、ハイパスフィルター５を動作状態にする。
【０１０４】
計時回路５２は、コントロール回路５１に内蔵される内部時計である。計時回路５２は、電源回路２から供給される正電源電圧＋Ｖや負電源電圧−Ｖの電圧値の上昇が所定値以下となり、固定式電源電圧検出回路５３のトランジスタＴＲ１が遮断状態となると、計時を開始する。そして、計時回路５２は、正電源電圧＋Ｖや負電源電圧−Ｖの電圧値の上昇が所定値以下となってからの経過時間が所定時間となると（本実施形態では、１０秒間となると）、コントロール回路５１へ所定時間が経過したことを示す信号を出力する。コントロール回路５１は、この信号を受信すると、スイッチＳＷ１を遮断して、ハイパスフィルター５を不動作状態にする。
【０１０５】
上述した通り、デジタルパワーアンプ５０によれば、電源バスパンピングが発生し、電源回路２から供給される正電源電圧＋Ｖや負電源電圧−Ｖの電圧値が上昇して所定値を超え、スイッチＳＷ１が導通した後に（ハイパスフィルター５が動作した後に）、正電源電圧＋Ｖや負電源電圧−Ｖの電圧値の上昇が所定値以下となっても、コントロール回路５１は、正電源電圧＋Ｖや負電源電圧−Ｖの電圧値の上昇が所定値以下となってから所定時間が経過するまでは、スイッチＳＷ１を継続して導通させておき（ハイパスフィルター５を継続して動作させておき）、入力端子Ａから入力されたアナログ信号に含まれる低周波信号の減衰を継続させる。
【０１０６】
このように、デジタルパワーアンプ５０によれば、ハイパスフィルター５が一旦動作状態となった場合には、電源回路２から供給される正電源電圧＋Ｖや負電源電圧−Ｖの電圧値の上昇が所定値以下となっても、所定時間が経過するまでは、即ち、正電源電圧＋Ｖや負電源電圧−Ｖの電圧値の上昇が十分抑制されるまでは、ハイパスフィルター５を継続して動作状態にしておくことができる。よって、電源回路２から供給される正電源電圧＋Ｖや負電源電圧−Ｖの電圧値の上昇が十分に抑制されず、正電源電圧＋Ｖや負電源電圧−Ｖの電圧値が不安定に変動しても（正電源電圧＋Ｖと負電源電圧−Ｖとの電位差が不安定に変動しても）、ハイパスフィルター５が動作状態と不動作状態を繰り返すことを防止することができる。
【０１０７】
以上、本実施形態に基づき本発明を説明したが、本発明は上記形態に何ら限定されるものではなく、本発明の趣旨を逸脱しない範囲内で種々の変形改良が可能であることは容易に推察できるものである。
【０１０８】
第３実施形態のデジタルパワーアンプ３０においては、電源バスパンピングが発生し、電源回路２から供給される正電源電圧＋Ｖや負電源電圧−Ｖの電圧値が上昇して所定値を超えていれば、分配用ローパスフィルター２２で取り出した低周波信号の電圧の一部を、電圧制限回路２３で所定電圧値に制限したが、これに限られるものではない。
【０１０９】
電源回路２から供給される正電源電圧＋Ｖや負電源電圧−Ｖの電圧値が所定値を超えた場合に、正電源電圧＋Ｖや負電源電圧−Ｖの電圧値が上昇していれば、電圧制限回路２３は、分配用ローパスフィルター２２で取り出した低周波信号の電圧の一部を制限する電圧を低くして、入力端子Ａから入力されたアナログ信号に含まれる低周波信号（特に、周波数２０Ｈｚ以下の信号）の減衰量を増加させる。一方で、電源回路２から供給される正電源電圧＋Ｖや負電源電圧−Ｖの電圧値が所定値を超えた場合に、正電源電圧＋Ｖや負電源電圧−Ｖの電圧値が低下していれば、電圧制限回路２３は、分配用ローパスフィルター２２で取り出した低周波信号の電圧の一部を制限する電圧を高くして、入力端子Ａから入力されたアナログ信号に含まれる低周波信号の減衰量を減少させても良い。
【０１１０】
この場合には、２つのダイオードが互いに逆方向に並列接続されて構成され、制限する電圧がそれぞれ異なる複数の電圧制限回路と、電源電圧検出回路７に設けられたトランジスタＴＲ１のコレクタ端子ｃの電圧に応じてスイッチングを行うスイッチング素子とを電圧制限回路２３に新たに設け、トランジスタＴＲ１のコレクタ端子ｃの電圧に応じて（正電源電圧＋Ｖや負電源電圧−Ｖの電圧値の上昇に応じて）、スイッチング素子のスイッチングを切り換え、複数の電圧制限回路の内から１の電圧制限回路と接続を行って、低周波信号の電圧の一部を制限する電圧を切り換えれば良い。
【０１１１】
このように構成することで、電源回路２から供給される正電源電圧＋Ｖや負電源電圧−Ｖの電圧値が低下すると（正電源電圧＋Ｖや負電源電圧−Ｖの電圧値の上昇が抑制されると）、入力されたアナログ信号に含まれる低周波信号の減衰量を減少して、正電源電圧＋Ｖや負電源電圧−Ｖの電圧値を緩やかに低下させることができる（正電源電圧＋Ｖや負電源電圧−Ｖの電圧値の上昇を緩やかに抑制することができる）。
【０１１２】
また、第３実施形態のデジタルパワーアンプ３０においては、電源バスパンピングが発生し、電源回路２から供給される正電源電圧＋Ｖや負電源電圧−Ｖの電圧値が上昇して所定値を超えていれば、分配用ローパスフィルター２２で取り出した低周波信号の電圧の一部を電圧制限回路２３で所定電圧値に制限したが、これに限られるものではない。
【０１１３】
即ち、第３実施形態のデジタルパワーアンプ３０においては、電圧制限回路２３に代えて、電源回路２から供給される正電源電圧＋Ｖや負電源電圧−Ｖの電圧値が所定値を超えた場合には、分配用ローパスフィルター２２で取り出した低周波信号の電圧の振幅を一律に減衰させる減衰回路を用いても良い。
【０１１４】
第４実施形態のデジタルパワーアンプ４０においては、入力されたアナログ信号に含まれる低周波信号を減衰させるものとして、ハイパスフィルター５を用いたが、これに限られるものではない。即ち、第４実施形態のデジタルパワーアンプ４０においては、ハイパスフィルター５に代えて、可変型ハイパスフィルター１９やリミッタフィルター２０を用いても良い。
【０１１５】
同様に、第５実施形態のデジタルパワーアンプ５０においては、入力されたアナログ信号に含まれる低周波信号を減衰させるものとして、ハイパスフィルター５を用いたが、これに限られるものではない。即ち、第５実施形態のデジタルパワーアンプ５０においては、ハイパスフィルター５に代えて、可変型ハイパスフィルター１９やリミッタフィルター２０を用いても良い。
【図面の簡単な説明】
【０１１６】
【図１】第１実施形態におけるデジタルパワーアンプの構成を示す回路図である。
【図２】第２実施形態におけるデジタルパワーアンプの構成を示す回路図である。
【図３】第３実施形態におけるデジタルパワーアンプの構成を示す回路図である。
【図４】第４実施形態におけるデジタルパワーアンプの構成を示す回路図である。
【図５】第５実施形態におけるデジタルパワーアンプの構成を示す回路図である。
【符号の説明】
【０１１７】
１，１０，３０，４０    デジタルパワーアンプ（オーディオ用増幅装置）
２                      電源回路（電源供給手段）
３                      アンプ回路（パルス幅変調増幅手段）
４                      出力フィルター（復調用低域通過フィルター）
５                      ハイパスフィルター（低域減衰手段、低域減衰フィルター）
７                      電源電圧検出回路（電圧値検出手段）
８                      ヒステリシス制御回路（閾値電圧設定手段の一部、閾値電圧変更手段の一部、閾値電圧解除手段の一部）
１９                    可変型ハイパスフィルター（低域減衰手段、可変型ハイパスフィルター）
２０                    リミッタフィルター（低域減衰手段）
２１                    分配用ハイパスフィルター（帯域分割手段の一部）
２２                    分配用ローパスフィルター（帯域分割手段の一部）
２３                    電圧制限回路（電圧制限手段）
４１                    正電源電圧検出回路（電圧値検出手段）
４２                    負電源電圧検出回路（電圧値検出手段）
５１                    コントロール回路（継続手段）
５２                    計時回路（計時手段）
５３                    固定式電源電圧検出回路（電圧値検出手段）
Ｃ１，Ｃ２              コンデンサ（電源平滑手段）
Ｌ１                    コイル（誘導素子）
Ｒ３                    抵抗（閾値電圧判定手段の一部）
Ｒ１０                  抵抗（閾値電圧判定手段の一部）
Ｒ１２                  抵抗（閾値電圧判定手段の一部）
ＳＷ２，ＳＷ４，ＳＷ５  スイッチ（閾値電圧設定手段の一部、閾値電圧変更手段の一部、閾値電圧解除手段の一部）
ＴＲ１，ＴＲ２，ＴＲ３  トランジスタ（信号出力手段）
【図１】
2009239505.tif 000003
【図２】
2009239505.tif 000004
【図３】
2009239505.tif 000005
【図４】
2009239505.tif 000006
【図５】
2009239505.tif 000007